【手続補正書】
【提出日】平成28年1月22日(2016.1.22)
【手続補正１】
【補正対象書類名】特許請求の範囲
【補正対象項目名】全文
【補正方法】変更
【補正の内容】
【特許請求の範囲】
【請求項１】
複数のサービングセルで構成されているユーザ機器（ＵＥ）のためのＡＣＫ（ａｃｋｎｏｗｌｅｄｇｅｍｅｎｔ）／ＮＡＣＫ（ｎｏｔ−ａｃｋｎｏｗｌｅｄｇｅｍｅｎｔ）を送信する方法であって、前記方法は、
第２のセルのダウンリンクサブフレームでデータを受信することと、
第１のセルのアップリンクサブフレームで前記データに対するＡＣＫ／ＮＡＣＫ信号を送信することと
を含み、
前記第２のセルは、ＴＤＤ（Ｔｉｍｅ  Ｄｉｖｉｓｉｏｎ  Ｄｕｐｌｅｘ）無線フレームを使用し、前記ＴＤＤ無線フレームの各サブフレームは、アップリンク−ダウンリンク構成に従って、アップリンクサブフレーム、ダウンリンクサブフレーム、またはスペシャルサブフレームとして構成され、
前記第１のセルは、ＦＤＤ（Ｆｒｅｑｕｅｎｃｙ  Ｄｉｖｉｓｉｏｎ  Ｄｕｐｌｅｘ）無線フレームを使用し、
前記ＡＣＫ／ＮＡＣＫ信号は、ＦＤＤ無線フレームを使用するサービングセルにおいて使用されるチャネル選択方式によって送信される、方法。
【請求項２】
前記チャネル選択方式は、ＡＣＫ／ＮＡＣＫ信号が複数のリソースの中の１つの選択されたリソースを使用することによって送信される信号送信方式である、請求項１に記載の方法。
【請求項３】
前記複数のリソースが４つのリソースからなる場合、
第１のリソースおよび第２のリソースは、前記第１のセルで受信されたＰＤＳＣＨ（ｐｈｙｓｉｃａｌ  ｄｏｗｎｌｉｎｋ  ｓｈａｒｅｄ  ｃｈａｎｎｅｌ）、または、前記第１のセルで受信されたＳＰＳ（ｓｅｍｉ−ｐｅｒｓｉｓｔｅｎｔ  ｓｃｈｅｄｕｌｉｎｇ）を解除するためのＳＰＳ解除（ｒｅｌｅａｓｅ）ＰＤＣＣＨ（ｐｈｙｓｉｃａｌ  ｄｏｗｎｌｉｎｋ  ｃｏｎｔｒｏｌ  ｃｈａｎｎｅｌ）と関連付けられ、
第３のリソースおよび第４のリソースは、前記第２のセルで受信されたＰＤＳＣＨと関連付けられる、請求項２に記載の方法。
【請求項４】
前記第１のセルは、前記ＵＥが基地局との最初接続確立過程または接続再確立過程を実行するプライマリセルである、請求項１に記載の方法。
【請求項５】
前記第２のセルは、前記プライマリセルに追加されているセカンダリセルである、請求項４に記載の方法。
【請求項６】
複数のサービングセルで構成されているユーザ機器（ＵＥ）のためのＡＣＫ（ａｃｋｎｏｗｌｅｄｇｅｍｅｎｔ）／ＮＡＣＫ（ｎｏｔ−ａｃｋｎｏｗｌｅｄｇｅｍｅｎｔ）を送信する装置であって、前記装置は、
無線信号を送信および受信する無線周波数（ＲＦ）部と、
前記ＲＦ部と接続されたプロセッサと
を備え、
前記プロセッサは、
第２のセルのダウンリンクサブフレームでデータを受信することと、
第１のセルのアップリンクサブフレームで前記データに対するＡＣＫ／ＮＡＣＫ信号を送信することと
を実行するように構成され、
前記第２のセルは、ＴＤＤ（Ｔｉｍｅ  Ｄｉｖｉｓｉｏｎ  Ｄｕｐｌｅｘ）無線フレームを使用し、前記ＴＤＤ無線フレームの各サブフレームは、アップリンク−ダウンリンク構成に従って、アップリンクサブフレーム、ダウンリンクサブフレーム、またはスペシャルサブフレームとして構成され、
前記第１のセルは、ＦＤＤ（Ｆｒｅｑｕｅｎｃｙ  Ｄｉｖｉｓｉｏｎ  Ｄｕｐｌｅｘ）無線フレームを使用し、
前記ＡＣＫ／ＮＡＣＫ信号は、ＦＤＤ無線フレームを使用するサービングセルにおいて使用されるチャネル選択方式によって送信される、装置。
【手続補正２】
【補正対象書類名】明細書
【補正対象項目名】００１３
【補正方法】変更
【補正の内容】
【００１３】
他の側面で提供される端末は、無線信号を送信及び受信するＲＦ（ｒａｄｉｏ  ｆｒｅｑｕｅｎｃｙ）部；及び、前記ＲＦ部と連結されるプロセッサ；を含み、前記プロセッサは、第２のサービングセルのダウンリンクサブフレームでデータを受信し；及び、前記データに対するＡＣＫ／ＮＡＣＫ信号を第１のサービングセルのアップリンクサブフレームで送信し、前記アップリンクサブフレームは、前記第１のサービングセルのＡＣＫ／ＮＡＣＫタイミングに基づいて決定されることを特徴とする。
本願明細書は、例えば、以下の項目も提供する。
（項目１）
複数のサービングセルが設定された端末のＡＣＫ／ＮＡＣＫ（ａｃｋｎｏｗｌｅｄｇｅｍｅｎｔ／ｎｏｔ−ａｃｋｎｏｗｌｅｄｇｅｍｅｎｔ）送信方法において、
第２のサービングセルのダウンリンクサブフレームでデータを受信し；及び、
前記データに対するＡＣＫ／ＮＡＣＫ信号を第１のサービングセルのアップリンクサブフレームで送信し、
前記アップリンクサブフレームは、前記第１のサービングセルのＡＣＫ／ＮＡＣＫタイミングに基づいて決定されることを特徴とする方法。
（項目２）
前記第１のサービングセルは、前記端末が基地局との最初接続確立過程（ｉｎｉｔｉａｌ  ｃｏｎｎｅｃｔｉｏｎ  ｅｓｔａｂｌｉｓｈｍｅｎｔ  ｐｒｏｃｅｄｕｒｅ）または接続再確立過程を実行するプライマリセルであって、ＦＤＤ（ｆｒｅｑｕｅｎｃｙ  ｄｉｖｉｓｉｏｎ  ｄｕｐｌｅｘ）無線フレームを使用し、前記第２のサービングセルは、前記端末に前記プライマリセル以外に追加に割り当てられるセカンダリセルであって、ＴＤＤ（ｔｉｍｅ  ｄｉｖｉｓｉｏｎ  ｄｕｐｌｅｘ）無線フレームを使用することを特徴とする項目１に記載の方法。
（項目３）
前記第１のサービングセルは、前記端末が基地局との最初接続確立過程（ｉｎｉｔｉａｌ  ｃｏｎｎｅｃｔｉｏｎ  ｅｓｔａｂｌｉｓｈｍｅｎｔ  ｐｒｏｃｅｄｕｒｅ）または接続再確立過程を実行するプライマリセルであって、ＴＤＤ（ｔｉｍｅ  ｄｉｖｉｓｉｏｎ  ｄｕｐｌｅｘ）無線フレームを使用し、前記第２のサービングセルは、前記端末に前記プライマリセル以外に追加に割り当てられるセカンダリセルであって、ＦＤＤ（ｆｒｅｑｕｅｎｃｙ  ｄｉｖｉｓｉｏｎ  ｄｕｐｌｅｘ）無線フレームを使用することを特徴とする項目１に記載の方法。
（項目４）
前記第１のサービングセルのダウンリンクサブフレームでデータを受信し、及び前記第１のサービングセルで受信したデータに対するＡＣＫ／ＮＡＣＫを前記アップリンクサブフレームで送信することをさらに含むことを特徴とする項目１に記載の方法。
（項目５）
前記第１のサービングセルのダウンリンクサブフレーム及び前記第２のサービングセルのダウンリンクサブフレームは、前記アップリンクサブフレームでＡＣＫ／ＮＡＣＫを送信するように連結されるＭ個のサブフレームのうち一部であることを特徴とする項目４に記載の方法。Ｍは、自然数。
（項目６）
前記Ｍが４より大きい場合、前記第１のサービングセルのダウンリンクサブフレーム及び前記第２のサービングセルのダウンリンクサブフレームの総個数が４以下に制限されるようにスケジューリングされることを特徴とする項目５に記載の方法。
（項目７）
前記アップリンクサブフレームでＡＣＫ／ＮＡＣＫを送信するように連結される、前記第１のサービングセルのダウンリンクサブフレームの個数がＭＰ個であり、前記第２のサービングセルのダウンリンクサブフレームの個数がＭＳ個であり、ＭＰよりＭＳが大きい場合、前記第２のサービングセルの前記ＭＳ個のダウンリンクサブフレームのうち、前記ＭＰ個のダウンリンクサブフレームのみがスケジューリングされることを特徴とする項目１に記載の方法。
（項目８）
前記第１のサービングセルの特定アップリンクサブフレームで、前記第１のサービングセルで受信したデータに対するＡＣＫ／ＮＡＣＫのみが送信されるか、または前記第１のサービングセル及び前記第２のサービングセルで受信したデータに対するＡＣＫ／ＮＡＣＫが送信されるかによって、前記特定アップリンクサブフレームに適用されるＡＣＫ／ＮＡＣＫ送信技法が決定されることを特徴とする項目１に記載の方法。
（項目９）
複数のサービングセルが設定された端末のＡＣＫ／ＮＡＣＫ（ａｃｋｎｏｗｌｅｄｇｅｍｅｎｔ／ｎｏｔ−ａｃｋｎｏｗｌｅｄｇｅｍｅｎｔ）送信方法において、
第２のサービングセルのダウンリンクサブフレームでデータを受信し；及び、
前記データに対するＡＣＫ／ＮＡＣＫ信号を第１のサービングセルのアップリンクサブフレームで送信し、
前記アップリンクサブフレームは、前記第２のサービングセルのＡＣＫ／ＮＡＣＫタイミングに基づいて決定されることを特徴とする方法。
（項目１０）
前記第１のサービングセルは、前記端末が基地局との最初接続確立過程（ｉｎｉｔｉａｌ  ｃｏｎｎｅｃｔｉｏｎ  ｅｓｔａｂｌｉｓｈｍｅｎｔ  ｐｒｏｃｅｄｕｒｅ）または接続再確立過程を実行するプライマリセルであって、ＦＤＤ（ｆｒｅｑｕｅｎｃｙ  ｄｉｖｉｓｉｏｎ  ｄｕｐｌｅｘ）無線フレームを使用し、前記第２のサービングセルは、前記端末に前記プライマリセル以外に追加に割り当てられるセカンダリセルであって、ＴＤＤ（ｔｉｍｅ  ｄｉｖｉｓｉｏｎ  ｄｕｐｌｅｘ）無線フレームを使用することを特徴とする項目９に記載の方法。
（項目１１）
前記第１のサービングセルは、前記端末が基地局との最初接続確立過程（ｉｎｉｔｉａｌ  ｃｏｎｎｅｃｔｉｏｎ  ｅｓｔａｂｌｉｓｈｍｅｎｔ  ｐｒｏｃｅｄｕｒｅ）または接続再確立過程を実行するプライマリセルであって、ＴＤＤ（ｔｉｍｅ  ｄｉｖｉｓｉｏｎ  ｄｕｐｌｅｘ）無線フレームを使用し、前記第２のサービングセルは、前記端末に前記プライマリセル以外に追加に割り当てられるセカンダリセルであって、ＦＤＤ（ｆｒｅｑｕｅｎｃｙ  ｄｉｖｉｓｉｏｎ  ｄｕｐｌｅｘ）無線フレームを使用することを特徴とする項目９に記載の方法。
（項目１２）
前記アップリンクサブフレームでＡＣＫ／ＮＡＣＫを送信するように連結される、前記第１のサービングセル及び前記第２のサービングセルのダウンリンクサブフレームの総個数がＭ個であり、前記Ｍが４より大きい場合、前記Ｍ個のダウンリンクサブフレームのうち、４以下のダウンリンクサブフレームのみがスケジューリングされることを特徴とする項目９に記載の方法。
（項目１３）
前記アップリンクサブフレームでＡＣＫ／ＮＡＣＫを送信するように連結される、前記第１のサービングセルのダウンリンクサブフレームの個数がＭＰ個であり、前記第２のサービングセルのダウンリンクサブフレームの個数がＭＳ個であり、ＭＰよりＭＳが大きい場合、前記第２のサービングセルの前記ＭＳ個のダウンリンクサブフレームのうち、前記ＭＰ個のダウンリンクサブフレームのみがスケジューリングされることを特徴とする項目９に記載の方法。
（項目１４）
前記第１のサービングセルの特定アップリンクサブフレームで、前記第１のサービングセルで受信したデータに対するＡＣＫ／ＮＡＣＫのみが送信されるか、または前記第１のサービングセル及び前記第２のサービングセルで受信したデータに対するＡＣＫ／ＮＡＣＫが送信されるかによって、前記特定アップリンクサブフレームに適用されるＡＣＫ／ＮＡＣＫ送信技法が決定されることを特徴とする項目９に記載の方法。
（項目１５）
無線信号を送信及び受信するＲＦ（ｒａｄｉｏ  ｆｒｅｑｕｅｎｃｙ）部；及び、
前記ＲＦ部と連結されるプロセッサ；を含み、
前記プロセッサは、第２のサービングセルのダウンリンクサブフレームでデータを受信し；及び、前記データに対するＡＣＫ／ＮＡＣＫ信号を第１のサービングセルのアップリンクサブフレームで送信し、前記アップリンクサブフレームは、前記第１のサービングセルのＡＣＫ／ＮＡＣＫタイミングに基づいて決定されることを特徴とする端末。